(57)【要約】【課題】大きさが異なる複数の植物体のそれぞれに適した栽培空間を有する水耕栽培装置を提供する。【解決手段】水耕栽培装置１５は、複数の植物体８ｓ，８ｍ，８ｌ，８ｘｌが列を形成するように複数の植物体８ｓ，８ｍ，８ｌ，８ｘｌを支持するための植物支持部１と、植物支持部１がその内部に設けられ、複数の植物体８ｓ，８ｍ，８ｌ，８ｘｌの地下部が成長する地下空間３と複数の植物体８ｓ，８ｍ，８ｌ，８ｘｌの地上部が成長する地上空間４とを内包する栽培室筐体１０と、複数の植物体８ｓ，８ｍ，８ｌ，８ｘｌの地下部に養液を供給するための養液供給部５と、地下空間３から養液を排出するように構成された養液排出部６と、を備え、地下空間３の高さＤ１，Ｄ２，Ｄ３，Ｄ４が、列が延びる列方向Ｋに沿って徐々に大きくなる。【選択図】図１
2015139410.tif 000002
【特許請求の範囲】
【請求項１】
複数の植物体が列を形成するように前記複数の植物体を支持するための植物支持部と、
前記植物支持部がその内部に設置され、前記複数の植物体の地下部が成長する地下空間と前記複数の植物体の地上部が成長する地上空間とを内包する栽培室筐体と、
前記複数の植物体の地下部に養液を供給するための養液供給部と、
前記地下空間から前記養液を排出するように構成された養液排出部と、を備え、
前記地下空間の高さが、前記列が延びる列方向に沿って徐々に大きくなる、水耕栽培装置。
【請求項２】
前記植物支持部は、それぞれが取り外し可能な複数の支持部品が前記列方向に沿って並べられることにより構成された、請求項１に記載の水耕栽培装置。
【請求項３】
前記複数の支持部品は、いずれか１つの支持部品が取り外された状態で、前記いずれか１つの支持部品以外の１または２以上の支持部品が前記列方向に沿ってスライドするように、前記栽培室筐体の内部に設置された、請求項２に記載の水耕栽培装置。
【請求項４】
前記地下空間の高さは、前記列方向に沿って一次関数的に大きくなる、請求項１〜３のいずれかに記載の水耕栽培装置。
【請求項５】
前記地下空間の高さは、前記列方向に沿って段階的に大きくなる、請求項１〜４のいずれかに記載の水耕栽培装置。
【請求項６】
前記地上空間の高さは、前記列方向に沿って徐々に大きくなる、請求項１〜５のいずれかに記載の水耕栽培装置。
【請求項７】
前記栽培室筐体の天井部には、光源が設けられた、請求項６に記載の水耕栽培装置。
【請求項８】
それぞれが請求項１〜７のいずれかに記載の水耕栽培装置の構造を有する第１の栽培室および第２の栽培室を備え、
前記第１の栽培室と前記第２の栽培室とが鉛直方向において隣接して配置されることにより、一体構造の二段重ね栽培室が形成されており、
前記２段重ね栽培室の外形が、全体として実質的に直方体の形状を有している、水耕栽培装置。
【請求項９】
前記第１の栽培室の前記列方向と前記第２の栽培室の前記列方向とは、互いに平行でかつ互いに逆向きである、請求項８に記載の水耕栽培装置。
【請求項１０】
前記２段重ね栽培室と、
前記２段重ね栽培室と同一の他の２段重ね栽培室とを備え、
前記２段重ね栽培室と前記他の２段重ね栽培室とが、前記列方向とは垂直な方向において隣接するように配置された、請求項８に記載の水耕栽培装置。
【発明の詳細な説明】
【技術分野】
【０００１】
本発明は、土壌を使用することなく植物体を栽培するための水耕栽培装置に関する。
【背景技術】
【０００２】
従来から、土壌を使用することなく植物体を栽培するための水耕栽培装置が用いられている。従来の水耕栽培装置においては、たとえば、人工光源が天井から吊り下げられているものがある。この水耕栽培装置においては、人工光源を支持する板が複数の植物体を支持する板に対して傾斜するように配置されている。それにより、複数の植物体は、それぞれ、人工光源までの距離が成長の段階に対応した位置に配置されている。このような技術は、次の特許文献１に開示されている。  
【先行技術文献】
【特許文献】
【０００３】
【特許文献１】特開平３−１３００２２号公報
【発明の概要】
【発明が解決しようとする課題】
【０００４】
上記した従来の植物栽培装置においては、植物体を支持する板から人工光源を支持する板までの高さは、それぞれの植物体の位置に応じて異なっている。一方、植物体を支持する板から養液が貯留される槽の底部までの距離は、いずれの位置においても同一である。また、植物体を支持する板から水耕栽培装置の天井部までの距離も、いずれの位置においても同一である。したがって、従来の水耕栽培装置は、複数の植物体のうち成長の初期の段階にある植物体の周辺においては、その植物体の成長のために不要な空間を有している。つまり、上記した従来の水耕栽培装置は、大きさが異なる複数の植物体のそれぞれに適した栽培空間を有していない。
【０００５】
本発明は、上述の問題に鑑みなされたものであり、その目的は、大きさが異なる複数の植物体のそれぞれに適した栽培空間を有する水耕栽培装置を提供することである。
【課題を解決するための手段】
【０００６】
本発明の第１の態様の水耕栽培装置は、所定の縦断面において複数の植物体が列を形成するように前記複数の植物体を支持するための植物支持部と、前記植物支持部がその内部に設置され、前記複数の植物体の地下部が成長する地下空間と前記複数の植物体の地上部が成長する地上空間とを内包する栽培室筐体と、前記複数の植物体の地下部に養液を供給するための養液供給部と、前記地下空間から前記養液を排出するように構成された養液排出部と、を備え、前記地下空間の高さが、前記列が延びる列方向に沿って徐々に大きくなる。
【０００７】
本発明の第２の態様の水耕栽培装置においては、前記植物支持部は、それぞれが取り外し可能な複数の支持部品が前記列方向に沿って並べられることにより構成されている。
【０００８】
本発明の第３の態様の水耕栽培装置は、前記複数の支持部品が、いずれか１つの支持部品が取り外された状態で、前記いずれか１つの支持部品以外の１または２以上の支持部品が前記列方向に沿ってスライドするように、前記栽培室筐体の内部に設置されている。
【０００９】
本発明の第４の態様の水耕栽培装置においては、前記地下空間の高さは、前記列方向に沿って一次関数的に大きくなる。
【００１０】
本発明の第５の態様の水耕栽培装置においては、前記地下空間の高さは、前記列方向に沿って段階的に大きくなる。
【００１１】
本発明の第６の態様の水耕栽培装置においては、前記地上空間の高さは、前記列方向に沿って徐々に大きくなる。
【００１２】
本発明の第７の態様の水耕栽培装置においては、前記栽培室筐体の天井部には、光源が設けられている。
【００１３】
本発明の第８の態様の水耕栽培装置は、それぞれが第１〜第７のいずれかに記載の水耕栽培装置の構造を有する第１の栽培室および第２の栽培室を備えている。前記第１の栽培室と前記第２の栽培室とが鉛直方向において隣接して配置されることにより、一体構造の二段重ね栽培室が形成されている。前記２段重ね栽培室の外形が、全体として実質的に直方体の形状を有している。
【００１４】
本発明の第９の態様の水耕栽培装置は、前記第１の栽培室の前記列方向と前記第２の栽培室の前記列方向とは、互いに平行でかつ互いに逆向きである。
【００１５】
本発明の第１０の態様の水耕栽培装置は、前記２段重ね栽培室と、前記２段重ね栽培室と同一の他の２段重ね栽培室とを備えている。前記２段重ね栽培室と前記他の２段重ね栽培室とが、前記列方向とは垂直な方向において隣接するように配置されている。
【発明の効果】
【００１６】
本発明によれば、大きさが異なる複数の植物体のそれぞれに適した栽培空間を有する水耕栽培装置を提供することができる。
【図面の簡単な説明】
【００１７】
【図１】本発明の実施の形態１の水耕栽培装置を説明するための断面模式図である。
【図２】本発明の実施の形態１の水耕栽培装置内の空間の模式図である。
【図３】本発明の実施の形態２の水耕栽培装置を説明するための断面模式図である。
【図４】本発明の実施の形態３の水耕栽培装置を説明するための断面模式図である。
【図５】本発明の実施の形態４の水耕栽培装置を説明するための断面模式図である。
【図６】本発明の実施の形態５の水耕栽培装置内の空間の模式図である。
【図７】本発明の実施の形態６の水耕栽培装置を説明するための断面模式図である。
【図８】本発明の実施の形態６の水耕栽培装置内の空間の模式図である。
【図９】本発明の実施の形態６の水耕栽培装置の利点を説明するための図である。
【図１０】本発明の実施の形態７の水耕栽培装置内の空間の模式図である。
【図１１】本発明の実施の形態８の水耕栽培装置を説明するための模式図である。
【図１２】本発明の実施の形態９の水耕栽培装置を説明するための模式図である。
【発明を実施するための形態】
【００１８】
以下、本発明の実施形態の水耕栽培装置が図面を参照しながら詳細に説明される。
【００１９】
本明細書においては、一つの植物個体を「植物体」と呼ぶ。
【００２０】
本明細書において、「植物支持部」とは植物体に接触しながら、植物体の位置を固定する部分である。
【００２１】
本明細書において、植物体の「地下部」とは、植物支持部の下側に位置付けられている「地下空間」で成長する植物体の部分であり、主として根を意味する。また、植物体の「地上部」とは、植物支持部の上側に位置付けられている「地上空間」で成長する植物体の部分であり、主として茎および葉を意味するものとする。なお、「地下空間」は、養液を含む場合がある。
【００２２】
本明細書において、「栽培空間」は、「植物体」を栽培するための１単位の空間であって、前述の「地上空間」と「地下空間」とを合わせた空間であり、天井部、側壁部、および底部等からなる「栽培室筐体」によって内包されている空間を意味する。「地下空間」は、光が内部に入らないように、外部から遮光され得る空間である。一方、「地上空間」は、遮光されていても、遮光されていなくてもよい。地上空間が遮光されている場合には、地上空間内に光源が設けられる。また、地上空間が遮光されていない場合、地上空間内に光源が設けられていなくてもよい。この場合、栽培室筐体のうち地上空間を形成する部分が透明部材で構成されており、外部から地上空間の植物体に光が照射されてもよい。
【００２３】
また、「栽培室」は、一の栽培空間と他の栽培空間とを仕切る「栽培室筐体」およびその内側にある「栽培空間」および「植物支持部」を含む部分である。「栽培室」という用語は、１つの「栽培室筐体」の一部が他の「栽培室筐体」の一部と一体的に形成されることにより、複数の栽培室が一体構造として１つの水耕栽培装置を構成するときに用いられる。
【００２４】
本明細書においては、「栽培室筐体」は、栽培空間を外部空間から遮断された空間にするものである。各図には描かれていないが、「栽培室筐体」には、植物体の出し入れのために用いられる扉および必要に応じて換気口が設けられているものとする。また、「栽培室筐体」は、外部から養液を含む布等を地下空間内に出し入れする必要がある場合には、そのための扉や経路を備えているものとする。
【００２５】
本明細書においては、各実施の形態において説明される複数の植物体は、各図において表現されているように、小さいものから大きいものへ順番に「列」を構成するように並べられているものとする。この「列」に沿った方向を「列方向」と言う。具体的には、列方向とは、列を構成する複数の植物体が植物支持部によって支持されている位置を結ぶ仮想線が延びる方向であって、かつ、複数の植物体の小さいものから大きいものへ向かう方向である。各図においては、列方向は、前述の仮想線そのものを意味する矢印によって示されるか、または、前述の仮想線と平行に延びる矢印で示されている。
【００２６】
また、本明細書に添付された図面において示されている「断面図模式図」は、水耕栽培装置の縦断面の模式図である。「縦断面」とは、前述の列方向および列方向と交差する鉛直方向を含む面に沿って水耕栽培装置を切ったときの水耕栽培装置の断面を示す図である。
【００２７】
また、本明細書に添付された図面において示されている「空間の模式図」は、上下方向に配置された空間同士を仕切る部材のみが厚みを有する部材として描かれ、その他の部材は描かれていない図である。また、「空間の模式図」は、空間の形状を示す仮想線が描かれている図である。また、「空間の模式図」は、あくまでも、地下空間および地上空間等の形状およびそれらの空間同士の位置関係を説明するためのイメージ図であるため、特定の図法に基づいて描かれたものではない。また、「空間の模式図」においては、図を見やすくする観点から、複数の植物体の一部および所定の空間の角部を示す仮想線の一部は、適宜省略されている。
【００２８】
（実施の形態１）
図１および図２を用いて、本発明の実施の形態１の水耕栽培装置１５が説明される。
【００２９】
図１および図２に示されるように、本実施の形態の水耕栽培装置１５は、複数の植物体８ｓ，８ｍ，８ｌ，８ｘｌをそれぞれ支持するための複数の貫通孔を有する植物支持部１を備えている。複数の植物体８ｓ，８ｍ，８ｌ，８ｘｌを支持する貫通孔周辺の構造として、周知のいかなる構造が用いられてもよい。本実施の形態においては、複数の植物体８ｓ，８ｍ，８ｌ，８ｘｌを支持する構造は、たとえば、スポンジ等の弾性部材により植物体を囲むように植物体を支持する構造が用いられ得る。本実施の形態においては、植物支持部１は、図１に示される水耕栽培装置の所定の縦断面において、複数の植物体８ｓ，８ｍ，８ｌ，８ｘｌが列をなして並ぶ状態で、複数の植物体８ｓ，８ｍ，８ｌ，８ｘｌを支持するように構成されている。
【００３０】
本実施の形態の水耕栽培装置１５は、その内部に植物支持部１が設置された栽培室筐体１０を備えている。栽培室筐体１０は、植物支持部１によって仕切られた地下空間３および地上空間４を内包している。地下空間３および地上空間４は、それぞれ、複数の植物体８ｓ，８ｍ，８ｌ，８ｘｌが植物支持部１によって支持された状態で、複数の植物体８ｓ，８ｍ，８ｌ，８ｘｌの地下部および地上部が成長する空間である。
【００３１】
栽培室筐体１０の底部１２ｂには、地下空間３内の複数の植物体８ｓ，８ｍ，８ｌ，８ｘｌの根に養液を供給するための養液供給部５が設けられている。本実施の形態においては、養液供給部５としては、ミスト状の養液を複数の植物体８ｓ，８ｍ，８ｌ，８ｘｌの根に向かって噴霧する方式のものが用いられている。また、栽培室筐体１０の底部１２ｂには、地下空間３から底部１２ｂに落ちてきた養液を排出するための流路として養液排出部６が設けられている。
【００３２】
図１においては、水耕栽培装置の１つの縦断面のみに含まれる複数の植物体８ｓ，８ｍ，８ｌ，８ｘｌが示されている。しかしながら、図２から分かるように、複数の植物体８ｓ，８ｍ，８ｌ，８ｘｌは、平面視において、行と列とによって構成されたマトリックス状に配置されている。そのため、図１は、複数列を構成するように並べられた一群の植物体のそれぞれの列に沿って切った縦断面を示している。ただし、本発明の水耕栽培装置は、複数の植物体８ｓ，８ｍ，８ｌ，８ｘｌが一列のみ並べられるものであってもよい。つまり、本発明の水耕栽培装置は、複数の植物体８ｓ，８ｍ，８ｌ，８ｘｌが少なくとも一列を構成するように並べられる得る構造であれば、いかなる構造であってもよい。
【００３３】
複数の植物体８ｓ，８ｍ，８ｌ，８ｘｌが植物支持部１によって支持されている複数の位置において、植物支持部１と底部１２ｂとの間の鉛直方向における距離、すなわち地下空間３の高さを、それぞれ、Ｄ１，Ｄ２，Ｄ３，Ｄ４とする。また、複数の植物体８ｓ，８ｍ，８ｌ，８ｘｌによって構成された複数の列のそれぞれが延びる方向を列方向Ｋとする。本実施の形態においては、水耕栽培装置の互いに平行な複数の縦断面のそれぞれにおいて、地下空間３の高さＤ１，Ｄ２，Ｄ３，Ｄ４は、列方向Ｋに沿って徐々に大きくなっている。そのため、水耕栽培装置１５は、複数の植物体８ｓ，８ｍ，８ｌ，８ｘｌの地下部のそれぞれの鉛直方向における長さに適した地下空間３を有している。
【００３４】
前述のような構成によれば、地下空間３が無駄な部分を有していない。したがって、地下空間３を効率的に利用して、地下部の長さが異なる複数の植物体８ｓ，８ｍ，８ｌ，８ｘｌを成長させることができる。
【００３５】
また、複数の植物体８ｓ，８ｍ，８ｌ，８ｘｌが植物支持部１によって支持されている複数の位置において、植物支持部１と天井部１１ｂとの間の鉛直方向における距離を、それぞれ、Ｈ１，Ｈ２，Ｈ３，Ｈ４とする。地上空間４の高さＨ１，Ｈ２，Ｈ３，Ｈ４は、水耕栽培装置１５の互いに平行な複数の縦断面のそれぞれにおいて、前述の列方向Ｋに沿って徐々に大きくなっている。したがって、水耕栽培装置１５は、複数の植物体８ｓ，８ｍ，８ｌ，８ｘｌの地上部のそれぞれの鉛直方向における長さに適した地上空間４を有している。
【００３６】
前述のような構成によれば、地上空間４は無駄な部分を有していない。そのため、地上空間４を効率的に利用して、地上部（茎および葉）の背丈が異なる複数の植物体８ｓ，８ｍ，８ｌ，８ｘｌを成長させることができる。
【００３７】
以下、本実施の形態の水耕栽培装置１５がより詳細に説明される。
【００３８】
栽培室筐体１０に内包された栽培空間は、植物支持部１によって上下方向に並べられた２つの空間に分割されている。具体的に言うと、栽培室筐体１０は、地上空間４を覆う栽培室地上部１１と、地下空間３を覆う栽培室地下部１２とを備えている。
【００３９】
栽培室地上部１１は、水平面に平行な長方形の平板状の天井部１１ｂと、天井部１１ｂの４つの辺から鉛直下方に延びる４つの側壁地上部１１ａとを備えている。栽培室地下部１２は、水平面に対して傾斜している長方形の平板状の底部１２ｂと、底部１２ｂの４つの辺から鉛直上方に延びる４つの側壁地下部１２ａとを備えている。
【００４０】
実際には、４つの側壁地上部１１ａは、それぞれ、４つの側壁地下部１２ａに連続している。つまり、水耕栽培装置１５は、４つの平板状の側壁部によって囲まれた空間を有している。
【００４１】
なお、本実施の形態においては、図１に示された水耕栽培装置１５は、たとえば、断面が三角形の台、つまり、三角柱の台であってその１つの側面が水平面に平行に置かれた台が水耕栽培装置１５の下側に挿入され、その台によって支持される。したがって、天井部１１ｂは、水平面と平行であるものとする。
【００４２】
栽培室筐体１０内において、植物支持部１は、前述の４つの側壁部のそれぞれの高さ方向の中央位置に固定され、栽培室地上部１１と栽培室地下部１２とを仕切る部材として機能している。ただし、本発明の水耕栽培装置においては、植物支持部１は、たとえば吊り下げ部材によって天井部１１ｂから吊り下げられていてもよい。また、本発明の水耕栽培装置においては、植物支持部１は、たとえば底部１２ｂが鉛直方向に延びる柱部材によって支持されていてもよい。つまり、植物支持部１は、複数の植物体８ｓ，８ｍ，８ｌ，８ｘｌの位置を固定できるものでありさえすれば、栽培室筐体１０のいずれの部分に取り付けられていてもよい。
【００４３】
本実施の形態においては、１つの列において４つの植物体が植物支持部１に支持されている例が示されている。しかしながら、大きさが異なる複数の植物体が植物支持部１に支持されていれば、一列における複数の植物体の数は、４つに限定されず、いかなる値であってもよい。
【００４４】
栽培室地上部１１は、複数の植物体８ｓ，８ｍ，８ｌ，８ｘｌの地上部が成長する地上空間４の筐体を構成している。栽培室地下部１２は、複数の植物体８ｓ，８ｍ，８ｌ，８ｘｌの地下部が成長する地下空間３の筐体を構成している。植物支持部１は、底部１２ｂに設けられた養液供給部５から噴霧された養液が地下空間３内の複数の植物体８ｓ，８ｍ，８ｌ，８ｘｌの根に吸収され得るように、複数の植物体８ｓ，８ｍ，８ｌ，８ｘｌを支持している。また、植物支持部１は、天井部１１ｂに設けられた光源９から発せられた光が複数の植物体８ｓ，８ｍ，８ｌ，８ｘｌの地上部に照射されるように、複数の植物体８ｓ，８ｍ，８ｌ，８ｘｌを支持している。
【００４５】
植物支持部１は、その上面として上側平面１ｕを含んでいる。天井部１１ｂは、その下面として下側平面１１ｂｌを含んでいる。植物支持部１の上側平面１ｕは、天井部１１ｂの下側平面１１ｂｌに対して傾斜している、つまり、水平面に対して傾斜している。したがって、図１および図２に示されるように、本実施の形態においては、地上空間４の高さＨ１，Ｈ２，Ｈ３，Ｈ４は、前述の列方向Ｋに沿って一次関数的に大きくなっている。このように、本実施の形態の水耕栽培装置１５によれば、互いに傾斜する２つの平面によって地上空間４を形作るという非常に簡単な構成で、地上空間４の高さを列方向Ｋに沿って異ならせている。
【００４６】
植物支持部１は、その下面として下側平面１ｌを含んでいる。底部１２ｂは、その上面として上側平面１２ｂｕを含んでいる。また、植物支持部１の下側平面１ｌと、底部１２ｂの上側平面１２ｂｕとは、いずれも水平面に対して、互いに異なる角度で傾斜している。言い換えると、本実施の形態においては、地下空間３の高さＤ１，Ｄ２，Ｄ３，Ｄ４は、前述の列方向Ｋに沿って一次関数的に大きくなっている。このように、本実施の形態の水耕栽培装置１５によれば、互いに傾斜する２つの平面によって地下空間３を形作るという非常に簡単な構成で、地下空間３の高さを列方向Ｋに沿って異ならせている。
【００４７】
また、複数の植物体８ｓ，８ｍ，８ｌ，８ｘｌ同士の間の距離Ｓ１，Ｓ２，Ｓ３を複数の植物体８ｓ，８ｍ，８ｌ，８ｘｌのそれぞれの平面視における占有面積に対応するように異ならせることが望ましい。そのようにすれば、水耕栽培装置１５内の複数の植物体８ｓ，８ｍ，８ｌ，８ｘｌの植設密度を高くすることが可能になる。
【００４８】
なお、上記の「地下空間３の高さＤ１，Ｄ２，Ｄ３，Ｄ４が、植物支持部１が列方向Ｋに沿って徐々に大きくなる」構成は、植物支持部１の下側平面１ｌおよび底部１２ｂの上側平面１２ｂｕのうちのいずれか一方が、曲面である構成であっても実現され得る。
【００４９】
また、上記の「地上空間４の高さＨ１，Ｈ２，Ｈ３，Ｈ４が、植物支持部１が列方向Ｋに沿って徐々に大きくなる」構成は、植物支持部１の上側平面１ｕおよび天井部１１ｂの下側平面１１ｂｌのうちのいずれか一方が、曲面である構成であっても実現され得る。
【００５０】
天井部１１ｂの下面１１ｂｕには、複数の植物体８ｓ，８ｍ，８ｌ，８ｘｌに光を照射する光源９が設けられている。１つの光源９が天井部１１ｂに設けられてもよいが、複数の植物体のそれぞれへの光照射の条件を極力同一に近い状態に近づけるためには、複数の光源９が、平面視において列方向Ｋが天井部１１ｂに投影された仮想線に沿って設けられることが望ましい。さらに、複数の光源９は、それぞれ、複数の植物体８ｓ，８ｍ，８ｌ，８ｘｌに対応して設けられていることが望ましい。より簡単には、複数の光源９は、それぞれ、天井部１１ｂの複数の植物体８ｓ，８ｍ，８ｌ，８ｘｌの鉛直上方の位置に設けられることが望ましい。
【００５１】
上記のように複数の光源９を配置すれば、複数の植物体８ｓ，８ｍ，８ｌ，８ｘｌのそれぞれの大きさに応じて、複数の光源９の設置位置を調節するための他の部材を必要としない。なお、栽培室地上部１１がガラスのような透明な部材で形成されている場合には、光源９が天井部１１ｂに設けられていなくてもよい。
【００５２】
養液排出部６は、図１に示すように、上側平面１２ｂｕが傾斜している栽培室地下部１２の底部１２ｂにおいて、底部１２ｂの最も低い位置に設けられている。そのため、重力を利用して全ての養液を栽培室地下部１２から効率的に排出することができる。これによれば、養液を栽培室地下部１２から排出するためのポンプが不要になる。
【００５３】
次に、本実施の形態の水耕栽培装置１５を用いて、複数の植物体８ｓ，８ｍ，８ｌ，８ｘｌを栽培する方法が具体的に説明される。
【００５４】
本実施の形態においては、複数の植物体８ｓ，８ｍ，８ｌ，８ｘｌのそれぞれが植物支持部１によって支持される位置は、複数の植物体８ｓ，８ｍ，８ｌ，８ｘｌのそれぞれの大きさに応じて決定される。したがって、複数の植物体８ｓ，８ｍ，８ｌ，８ｘｌを、それぞれの成長の段階に応じて適切な大きさの栽培空間で成長させることができる。
【００５５】
たとえば、複数の植物体８ｓ，８ｍ，８ｌ，８ｘｌは、複数の多年生植物体である場合には、複数の植物体８ｓ，８ｍ，８ｌ，８ｘｌは、列方向Ｋに沿って年齢が小さいものから大きいものへ順番に並べられてもよい。これによれば、多年生植物は、年齢に比例して背丈が大きくなる確率が高いため、それぞれの植物体の年齢を基準として用いることにより、複数の植物体８ｓ，８ｍ，８ｌ，８ｘｌの位置決めを画一的に行うことができる。つまり、複数の植物体８ｓ，８ｍ，８ｌ，８ｘｌのそれぞれの背丈を確認しながら、それぞれの位置決めを行うという作業が不要になる。そのため、複数の植物体８ｓ，８ｍ，８ｌ，８ｘｌの位置の決定が容易になる。
【００５６】
多年生植物の植物体は、長い栽培期間をかけて、徐々に大きくなる。そのため、多年生植物の植物体の最終形態の大きさに合わせて水耕栽培装置内の空間の大きさを確保すると、栽培初期には、無駄な空間が非常に大きい。しかしながら、植物工場等の内部空間が小さい場合には、その小さい空間に高い密度で一群の植物体を植えることが望まれる。
【００５７】
上記の水耕栽培装置１５によれば、相対的に小さい植物体および相対的に大きい植物体を、それぞれに適した大きさの空間を有する位置に配置することができる。そのため、それぞれの植物体の栽培初期から栽培終期まで、限られた小さい空間を効率的に利用して、水耕栽培を行うことができる。
【００５８】
一般には、植物体群を高い密度で植えるためには、一群の植物体のそれぞれの大きさに応じた栽培空間を有する複数の栽培室を準備する方法が考えられる。ただし、その方法によれば、植物体の成長に応じて一の栽培室から他の栽培室へ植物体を移動させる作業が必要となる。そのため、一の栽培室筐体内の植物体を外部へ取り出し、取り出された植物体を他の栽培室筐体内へ設置することが必要になる。したがって、栽培室同士の間で植物体を移動させるには多大な手間がかかるだけでなく、植物体に損傷を与えるおそれも大きくなる。
【００５９】
一方、上記の水耕栽培装置１５を用いれば、１つの栽培室筐体１０内において、植物体を移設するだけ、複数の植物体のそれぞれの大きさに応じた栽培空間で複数の植物体を栽培することができる。そのため、植物体の移設のための手間を軽減することができるとともに、植物体の移設の際に植物体に損傷を与えるおそれを低減することができる。
【００６０】
上記したように、水耕栽培装置１５は、多年生植物の栽培に適している。多年生植物としては、一例としてオタネニンジン（高麗人参または朝鮮人参）がある。オタネジンジンの場合、最も小さな植物体８ｓに相当する栽培期間が１年程度のものは、１０ｃｍ程度の背丈を有しており、最も大きな植物体８ｘｌに相当する栽培期間が４年程度のものは、６０ｃｍ程度の背丈を有している。したがって、上記の本実施の形態の水耕栽培装置１５は、その程度の大きさの植物体を栽培するために適した大きさの地下空間３および地上空間４を備えているものとする。ただし、本発明においては、地下空間３および地上空間４の大きさは、栽培される植物体の最終形態の大きさに応じて異なる。
【００６１】
上記した植物支持部１の材質は、特に限定されないが、発泡スチロールまたは樹脂などが用いられることが望ましい。
【００６２】
養液の植物体への供給方法としては、本実施の形態においては、ミストを植物体の根に向かって噴霧する方式が用いられている。しかしながら、養液を含ませた給養液布を植物体の根に接触させる方式、または地下空間に貯留された養液に植物体の根を浸す方式等のいかなる方式も、本発明の水耕栽培装置に適用することができる。
【００６３】
ミストを噴霧する方式の場合、養液供給部は、ミストの吐出口およびそれに付随する構造である。地下空間に養液を貯留する場合は、地下空間に養液を供給するための養液の流路およびそれに付随する構造が養液供給部である。養液を含ませた給養液布を植物体の地下部（根）に接触させることにより、植物体に養液を供給する場合には、地下空間に養液を含む材料を入れるための扉が植物体の地下部（根）に養液を供給するための養液供給部となる。
【００６４】
（実施の形態２）
図３を用いて、実施の形態２の水耕栽培装置１５が説明される。
【００６５】
本実施の形態の水耕栽培装置１５は、実施の形態１の水耕栽培装置１５に対応する基本構造を有している。そのため、図３においては、実施の形態１の水耕栽培装置１５と実施の形態２の水耕栽培装置１５との対応構造には、同一の参照符号が付されている。また、それらの対応構造については、同一の機能を果たしているものとする。したがって、それらの対応構造については、本実施の形態の水耕栽培装置１５の特徴を説明するために必要でないかぎり、その説明は繰り返さない。以下の本実施の形態の説明においては、実施の形態１と異なる点のみが説明される。
【００６６】
図３に示すように、植物支持部１は、それぞれが取り外し可能な複数の支持部品１ａ，１ｂ，１ｃ，１ｄにより構成されている。複数の支持部品１ａ，１ｂ，１ｃ，１ｄは、全体として階段形状を構成するように設置されている。
【００６７】
本実施の形態においては、植物支持部１を構成する複数の支持部品１ａ，１ｂ，１ｃ，１ｄと水平面にほぼ平行に形成された底部１２ｂとの間の鉛直方向における距離、すなわち地下空間３の高さをＤ１，Ｄ２，Ｄ３，Ｄ４とする。地下空間３の高さＤ１，Ｄ２，Ｄ３，Ｄ４は、複数の植物体８ｓ，８ｍ，８ｌ，８ｘｌが並ぶ列方向Ｋに沿って徐々に大きくなっている。
【００６８】
ただし、図３に示されるように、本実施の形態においては、地下空間３の高さＤ１，Ｄ２，Ｄ３，Ｄ４は、実施の形態１の水耕栽培装置のように一次関数的に変化するのではく、段階的に変化している。なお、本実施の形態において、列方向Ｋは、複数の支持部品１ａ，１ｂ，１ｃ，１ｄがそれぞれ複数の植物体８ｓ，８ｍ，８ｌ，８ｘｌを支持する複数の位置を結ぶ直線で示されている方向とする。
【００６９】
上記した図３に示された本実施の形態の水耕栽培装置１５も、図１および図２に示された実施の形態１の水耕栽培装置１５と同様に、複数の植物体８ｓ，８ｍ，８ｌ，８ｘｌの地下部のそれぞれの鉛直方向の長さに適した地下空間３を有している。そのため、地下空間３は無駄な部分を有していない。したがって、地下空間３を効率的に利用して、地下部の長さが異なる複数の植物体８ｓ，８ｍ，８ｌ，８ｘｌを成長させることができる。
【００７０】
また、本実施の形態の水耕栽培装置によれば、植物支持部１が階段構造である。そのため、地下空間３の高さＤ１，Ｄ２，Ｄ３，Ｄ４の決定の自由度が高い。つまり、水耕栽培装置１５の設計段階において、階段形状を変更することにより、地下空間３の高さＤ１，Ｄ２，Ｄ３，Ｄ４のそれぞれを個別に変更することができる。したがって、本実施の形態の階段形状を有する植物支持部１によれば、実施の形態１の傾斜平板状部材からなる植物支持部１に比較して、列方向Ｋに沿った地下空間３の高さＤ１，Ｄ２，Ｄ３，Ｄ４のそれぞれの大きさを適切な値に調整することが容易である。
【００７１】
本実施の形態においては、栽培室地下部１２内の地下空間３に養液７が貯留され、複数の植物体８ｓ，８ｍ，８ｌ，８ｘｌの根が養液に浸る。また、栽培室地下部１２内の地下空間３へ養液７を供給するために、地下空間３の最も高い位置に栽培室地下部１２に養液７を供給する流路としての養液供給部５が設けられている。そのため、重力を利用して全ての養液７を地下空間３へ効率的に供給することができる。
【００７２】
また、図３に示されるように、本実施の形態においては、植物支持部１は、それぞれが取り外し可能な複数の支持部品１ａ，１ｂ，１ｃ，１ｄが前述の列方向Ｋに沿って並べられることにより構成されている。そのため、複数の植物体８ｓ，８ｍ，８ｌ，８ｘｌがそれぞれ複数の支持部品１ａ，１ｂ，１ｃ，１ｄに支持された状態で、複数の支持部品１ａ，１ｂ，１ｃ，１ｄの配置を変更することができる。それにより、複数の植物体８ｓ，８ｍ，８ｌ，８ｘｌを、それぞれに適した空間に配置することができる。したがって、複数の植物体８ｓ，８ｍ，８ｌ，８ｘｌの栽培室筐体１０内での移植において、複数の植物体８ｓ，８ｍ，８ｌ，８ｘｌに損傷を与えるおそれを低減することができる。
【００７３】
また、図３においては、複数の支持部品１ａ，１ｂ，１ｃ，１ｄは、それぞれ、列方向Ｋにおいて、複数の植物体８ｓ，８ｍ，８ｌ，８ｘｌのうちのいずれか１つの植物体を支持するように構成されている。しかしながら、複数の支持部品１ａ，１ｂ，１ｃ，１ｄのうちいずれかが、複数の植物体８ｓ，８ｍ，８ｌ，８ｘｌのいずれをも支持せず、複数の支持部品のそれぞれの高さ位置の調整のためにのみ用いられているものであってもよい。また、複数の支持部品１ａ，１ｂ，１ｃ，１ｄのそれぞれが列方向Ｋにおいて、複数の植物体を支持するものであってもよい。
【００７４】
前述の複数の支持部品１ａ，１ｂ，１ｃ，１ｄは、いずれか１つの支持部品が取り外された状態で、１つの支持部品以外の１または２以上の支持部品が前述の列方向Ｋに沿ってスライドすることができるように、栽培室筐体１０内に設置されている。したがって、最も大きく成長した植物体８ｘｌが支持された支持部品１ｄを取り外し、支持部品１ｃ，１ｂ，１ａをそれぞれ支持部品１ｄ，１ｃ，１ｂが設置されていた位置にスライドさせることができる。また、前述のスライドの前に支持部品１ａがあった位置には、新たな最も小さな植物体を支持する支持部品を水耕栽培装置に設置することができる。
【００７５】
なお、上記の複数の支持部品１ａ，１ｂ，１ｃ，１ｄをスライドさせる構造は、いかなる構造であってもよい。たとえば、側壁部に列方向Ｋに沿って延びるレールとそのレールに沿って複数の支持部品１ａ，１ｂ，１ｃ，１ｄが移動できるように複数の支持部品１ａ，１ｂ，１ｃ，１ｄのそれぞれに取り付けられ車輪とにより前述のスライドさせる構造が実現されてもよい。
【００７６】
本実施の形態においては、図３に示されるように列方向Ｋが直線によって描かれているが、植物支持部１の階段形状によっては列方向Ｋが直線にならず、折れ曲がり線で描かれることもある。この折れ曲がり線によって描かれた列方向も本発明の列方向に含まれるものとする。
【００７７】
（実施の形態３）
次に、図４を用いて、実施の形態３の水耕栽培装置が説明される。
【００７８】
本実施の形態の水耕栽培装置１５は、実施の形態１および２の水耕栽培装置１５に対応する基本構造を有している。そのため、図４においては、実施の形態１および２の水耕栽培装置１５と実施の形態３の水耕栽培装置１５との対応構造には、同一の参照符号が付されている。また、それらの対応構造については、同一の機能を果たしているものとする。したがって、それらの対応構造については、本実施の形態の水耕栽培装置１５の特徴を説明するために必要でないかぎり、その説明は繰り返さない。以下の本実施の形態の説明においては、実施の形態１および２と異なる点のみが説明される。
【００７９】
図４に示された本実施の形態の水耕栽培装置１５においては、栽培室地上部１１内の地上空間４は、複数の植物体８ｓ，８ｍ，８ｌ，８ｘｌのそれぞれの鉛直方向の長さに対応している。具体的には、図４に示されるように、天井部１１ｂが水平面に対して傾斜している。天井部１１ｂの傾斜の度合いは、階段状の植物支持部１全体の水平面に対する傾斜の度合い、すなわち、列方向Ｋの水平面に対する傾斜の度合いよりも大きい。
【００８０】
本実施の形態においても、複数の植物体８ｓ，８ｍ，８ｌ，８ｘｌが植物支持部１によって支持されている複数の位置において、植物支持部１と天井部１１ｂとの間の距離、すなわち、地上空間４の高さを、それぞれ、Ｈ１，Ｈ２，Ｈ３，Ｈ４とする。図４に示された水耕栽培装置１５によれば、地上空間４の高さＨ１，Ｈ２，Ｈ３，Ｈ４は、列方向Ｋに沿って徐々に大きくなっている。つまり、本実施の水耕栽培装置１５は、複数の植物体８ｓ，８ｍ，８ｌ，８ｘｌの地下部のそれぞれの鉛直方向の長さに対応した地上空間４を有している。そのため、地上空間４が無駄な空間を有していない。したがって、地上空間４を効率的に利用して、地上部（茎および葉）の背丈が異なる複数の植物体８ｓ，８ｍ，８ｌ，８ｘｌを成長させることができる。
【００８１】
（実施の形態４）
次に、図５を用いて、実施の形態４の水耕栽培装置が説明される。なお、図５においては、複数の植物体８ｓ１，８ｍ１，８ｌ１，８ｘｌ１は、図において表現されているように、この順番に大きくなっているものとする。複数の植物体８ｓ２，８ｍ２，８ｌ２，８ｘｌ２は、図において表現されているように、この順番に大きくなっているものとする。
【００８２】
図５に示されるように、本実施の形態の水耕栽培装置１５は、２つの栽培室１００および２００が鉛直方向に並べて配置された構造を有している。具体的には、本実施の形態の水耕栽培装置１５は、第１の栽培室１００と、その鉛直上方に配置された第２の栽培室２００とを備えている。
【００８３】
第１の栽培室１００は、栽培室１００の上方部分を構成する栽培室地上部１１１と、栽培室１００の下方部分を構成する栽培室地下部１１２とを備えている。第２の栽培室２００は、栽培室２００の上方部分を構成する栽培室地上部２１１と、栽培室の下方部分を構成する栽培室地下部２１２とを備えている。
【００８４】
図５に示されるように、栽培室地上部１１１は、断面視において階段状に形成された天井部１１１ｂと、天井部１１１ｂからそれぞれ鉛直下方に延びる４つの側壁地上部１１１ａとを備えている。栽培室地下部１１２は、水平面にほぼ平行に延びる長方形の平板状の底部１１２ｂと、底部１１２ｂの４つの辺からそれぞれ鉛直上方に延びる４つの平板状の側壁地下部１１２ａとを備えている。
【００８５】
図５に示されるように、栽培室地上部２１１は、水平面に平行な長方形の平板状の天井部２１１ｂと、天井部２１１ｂの４つの辺からそれぞれ鉛直下方に延びる４つの側壁地上部２１１ａとを備えている。栽培室地下部２１２は、階段状に形成された底部２１２ｂと、底部２１２ｂから鉛直上方に延びる４つの平板状の側壁地下部２１２ａとを備えている。
【００８６】
なお、本実施の形態においては、階段状に形成された底部２１２ｂと階段状に形成された天井部１１１ｂとは、共通の１つの部材によって形成されているが、それぞれ、別個の部材によって形成されていてもよい。
【００８７】
実際には、４つの側壁地下部１１２ａは、それぞれ、４つの側壁地上部１１１ａに連続している。４つの側壁地上部１１１ａは、それぞれ、４つの側壁地下部２１２ａに連続している。４つの側壁地下部２１２ａは、それぞれ、４つの側壁地上部２１１ａに連続している。つまり、水耕栽培装置は、４つの矩形の平板状の側壁部によって囲まれている。
【００８８】
図５に示されるように、栽培室１００内には、複数の植物体８ｓ１，８ｍ１，８ｌ１，８ｘｌ１を支持する植物支持部１０１が設けられている。本実施の形態においては、植物支持部１０１は、第１の栽培室１００を構成する４つの側壁部のそれぞれの高さ方向の中央位置に固定され、栽培室地上部１１１と栽培室地下部１１２とを仕切る部材として機能している。
【００８９】
図５に示されるように、栽培室内２００には、複数の植物体８ｓ２，８ｍ２，８ｌ２，８ｘｌ２を支持する植物支持部２０１が設けられている。本実施の形態においては、植物支持部２０１は、第２の栽培室２００を構成する４つの側壁部のそれぞれの高さ方向の中央位置に固定され、栽培室地上部２１１と栽培室地下部２１２とを仕切る部材として機能している。
【００９０】
栽培室地上部１１１は、複数の植物体８ｓ１，８ｍ１，８ｌ１，８ｘｌ１の地上部が成長する地上空間１４の外郭を構成している。栽培室地下部１１２は、複数の植物体８ｓ１，８ｍ１，８ｌ１，８ｘｌ１の地下部に向かってミスト状の養液を噴霧する養液供給部５１と、その養液を排出するための流路としての養液排出部６１とを備えている。
【００９１】
植物支持部１０１は、複数の植物体８ｓ１，８ｍ１，８ｌ１，８ｘｌ１の地下部が地下空間１３へ突出するように、複数の植物体８ｓ１，８ｍ１，８ｌ１，８ｘｌ１を支持している。植物支持部１０１は、複数の植物体８ｓ１，８ｍ１，８ｌ１，８ｘｌ１の地上部が地上空間１４へ突出するように、複数の植物体８ｓ１，８ｍ１，８ｌ１，８ｘｌ１を支持している。
【００９２】
栽培室地上部２１１は、複数の植物体８ｓ２，８ｍ２，８ｌ２，８ｘｌ２の地上部が成長する地上空間２４の外郭を構成している。栽培室地下部２１２は、複数の植物体８ｓ２，８ｍ２，８ｌ２，８ｘｌ２の地下部に向かってミスト状の養液を噴霧する養液供給部５２と養液を排出するための流路としての養液排出部６２とを備えている。
【００９３】
植物支持部２０１は、複数の植物体８ｓ２，８ｍ２，８ｌ２，８ｘｌ２の地下部が地下空間２３に突出するように複数の植物体８ｓ２，８ｍ２，８ｌ２，８ｘｌ２を支持している。植物支持部２０１は、複数の植物体８ｓ２，８ｍ２，８ｌ２，８ｘｌ２の地上部が地上空間２４へ突出するように、複数の植物体８ｓ２，８ｍ２，８ｌ２，８ｘｌ２を支持している。
【００９４】
なお、本実施の形態の水耕栽培装置１５においても、第１の栽培室１００の天井部１１１ｂに複数の光源が設けられているが、図５においては、その図示はなされない。また、第２の栽培室２００の天井部２１１ｂにも複数の光源が設けられているが、図５においては、その図示はなされない。
【００９５】
図５に示されるように、本実施の形態の水耕栽培装置１５においては、天井部１１１ｂおよび底部２１２ｂは、一体構造として形成されており、全体として階段形状を有するように構成されている。そのため、水耕栽培装置の部品点数が軽減されている。ただし、本発明の水耕栽培装置は、天井部１１１ｂおよび底部２１２ｂのそれぞれが独立した２つの部品によって構成されており、その２つの部品が全体として階段形状を有するものであってもよい。
【００９６】
図５に示されるように、本実施の形態の水耕栽培装置１５においては、植物支持部１０１が複数のＬ字状の支持部品１０１ａ，１０１ｂ，１０１ｃ，１０１ｄにより構成されている。複数のＬ字状の支持部品１０１ａ，１０１ｂ，１０１ｃ，１０１ｄは、全体として階段形状を構成するように設置されている。
【００９７】
植物支持部１０１を構成する複数のＬ字状の支持部品１０１ａ，１０１ｂ，１０１ｃ，１０１ｄと水平面に平行に延びる底部１１２ｂとの間の鉛直方向における距離、すなわち地下空間１３の高さを、それぞれ、Ｄ１１，Ｄ１２，Ｄ１３，Ｄ１４とする。地下空間１３の高さＤ１１，Ｄ１２，Ｄ１３，Ｄ１４は、列方向Ｋ１に沿って段階的に大きくなっている。なお、列方向Ｋ１は、複数の植物体８ｓ１，８ｍ１，８ｌ１，８ｘｌ１が植物支持部１０１によって支持されている複数の位置を結ぶ直線が延びる方向である。
【００９８】
複数の植物体８ｓ１，８ｍ１，８ｌ１，８ｘｌ１が植物支持部１０１によって複数の位置で支持されている。この複数の位置において、植物支持部１０１と天井部１１１ｂとの間の距離、すなわち、地上空間１４の高さを、それぞれ、Ｈ１１，Ｈ１２，Ｈ１３，Ｈ１４とする。図５に示された水耕栽培装置１５によれば、地上空間１４の高さＨ１１，Ｈ１２，Ｈ１３，Ｈ１４は、前述の列方向Ｋ１に沿って段階的に大きくなっている。そのため、この水耕栽培装置１５によっても、栽培室地上部１１１内の空間を効率的に利用して、地上部（茎および葉）の背丈が異なる複数の植物体８ｓ１，８ｍ１，８ｌ１，８ｘｌ１を成長させることができる。
【００９９】
図５に示されるように、本実施の形態の水耕栽培装置１５においては、植物支持部２０１が複数のＬ字状の支持部品２０１ａ，２０１ｂ，２０１ｃ，２０１ｄにより構成されている。複数のＬ字状の支持部品２０１ａ，２０１ｂ，２０１ｃ，２０１ｄは、全体として階段形状を構成するように設置されている。
【０１００】
複数のＬ字状の支持部品２０１ａ，２０１ｂ，２０１ｃ，２０１ｄと水平面に平行に形成された底部２１２ｂ（天井部１１１ｂ）との間の鉛直方向における距離、すなわち地下空間２３の高さを、それぞれ、Ｄ２１，Ｄ２２，Ｄ２３，Ｄ２４とする。地下空間１３の高さＤ２１，Ｄ２２，Ｄ２３，Ｄ２４は、列方向Ｋ２に沿って段階的に大きくなっている。なお、列方向Ｋ２は、複数の植物体８ｓ２，８ｍ２，８ｌ２，８ｘｌ２が植物支持部２０１によって支持されている複数の位置を結ぶ直線が延びる方向である。
【０１０１】
複数の植物体８ｓ２，８ｍ２，８ｌ２，８ｘｌ２が植物支持部２０１に支持されている複数の位置において、植物支持部２０１と天井部２１１ｂとの間の距離、すなわち、地上空間２４の高さを、それぞれ、Ｈ２１，Ｈ２２，Ｈ２３，Ｈ２４とする。図５に示された水耕栽培装置１５によれば、地上空間２４の高さＨ２１，Ｈ２２，Ｈ２３，Ｈ２４は、前述の列方向Ｋ２に沿って段階的に大きくなっている。
【０１０２】
そのため、本実施の形態の水耕栽培装置１５においても、複数の植物体８ｓ２，８ｍ２，８ｌ２，８ｘｌ２の地上部のそれぞれの長さに応じた植物支持部２０１の位置を選択することが可能である。その結果、作業員は、栽培室地上部２１１内の空間を効率的に利用して、地上部（茎および葉）の背丈が異なる複数の植物体８ｓ２，８ｍ２，８ｌ２，８ｘｌ２を成長させることができる。
【０１０３】
図４に示された実施の形態３の水耕栽培装置１５と同様に、複数のＬ字状の支持部品１０１ａ，１０１ｂ，１０１ｃ，１０１ｄは、それぞれ取り外し可能な独立した部品であって、列方向Ｋ１に沿ってスライドできるように構成されていることが望ましい。また、複数のＬ字状の支持部品２０１ａ，２０１ｂ，２０１ｃ，２０１ｄも、それぞれ取り外し可能な独立した部品であって、列方向Ｋ２に沿ってスライドできるように構成されていることが望ましい。
【０１０４】
ただし、複数のＬ字状の支持部品１０１ａ，１０１ｂ，１０１ｃ，１０１ｄは、互いに固定されることにより、一体化された状態で、全体として階段形状を形成してもよい。また、複数のＬ字状の支持部品２０１ａ，２０１ｂ，２０１ｃ，２０１ｄも、互いに固定されることにより、一体化された状態で、全体として階段形状を形成してもよい。
【０１０５】
図５に示されるように、本実施の形態の水耕栽培装置１５は、全体として実質的に直方体の内部空間および外形を有している。具体的には、地下空間１３および地上空間１４を有する第１の栽培室１００と地下空間２３および地上空間２４を有する第２の栽培室２００とが鉛直方向において並んで配置されている。それにより、第１の栽培室１００と第２の栽培室２００とにより形成された二段重ね栽培室が実質的に直方体の外形を有するように形成されている。
【０１０６】
二段重ね栽培室とは、地下空間１３、地上空間１４、地下空間２３、および地上空間２４がこの順番で積み重ねられた２段重ね栽培空間を有する栽培室である。本実施の形態の水耕栽培装置においては、２段重ね栽培空間を内包する二段重ね栽培室筐体４０が、全体として実質的に直方体の外形を有している、したがって、水耕栽培装置１５は、閉鎖型工場等に設置し易い構造になっている。
【０１０７】
図５に示されるように、第１の栽培室１００と第２の栽培室２００とは、１つの栽培室筐体４０によって一体的に形成されており、個別に分離され得ない１つの水耕栽培装置として形成されている。しかしながら、本発明の水耕栽培装置は、互いに分割され得る第１の栽培室１００と第２の栽培室２００とが積み重ねられることにより、実質的に直方体の外形が形成されるものであってもよい。たとえば、本発明の水耕栽培装置は、第１の栽培空間と第２の栽培空間とをそれぞれ個別に内包し、互いに分離可能な２つの栽培室筐体を有し、その２つの栽培室筐体が積み重ねられて１つの栽培室筐体４０が形成される水耕栽培装置であってもよい。
【０１０８】
なお、本明細書において、実質的に直方体の形状とは、数学分野において用いられる厳密な意味での直方体とは異なり、多少の凹凸や曲面があったとしても、全体として直方体を想起できる形状を意味する。本発明においては、一般に実質的に直方体の内部空間を有する建物内に収納され易いように考慮されている形状を含むものとする。本発明の実質的に直方体の形状の例としては、実質的に直方体の形状とは、コンテナ、事務用書類用のロッカー、衣服を入れるタンス、冷蔵庫、電子レンジ、または扉付きの書棚などの外形が挙げられる。
【０１０９】
上記のような実質的に直方体の形状を有する水耕栽培装置であれば、同一の大きさおよび形状を有する複数の水耕栽培装置を鉛直方向に積み上げることができる。そのため、建物、たとえば、植物工場の内部空間を有効に利用することができる。つまり、小さい占有面積で多数の水耕栽培装置を設置することができる。
【０１１０】
（実施の形態５）
図６を用いて、本実施の形態５の水耕栽培装置が説明される。なお、複数の植物体８ｓ１，８ｍ１，８ｌ１は、図において表現されているように、この順番に大きくなっているものとする。複数の植物体８ｓ２，８ｍ２，８ｌ２は、図において表現されているように、この順番に大きくなっているものとする。
【０１１１】
本実施の形態の水耕栽培装置は、図６に示された栽培空間１３，１４，２３，２４を内包する栽培室筐体の構成、養液供給部、および養液排出部の構成に関しては、図５を用いて説明された実施の形態４の水耕栽培装置１５と同様である。ただし、図６にはそれらの構成は示されていない。
【０１１２】
本実施の形態の水耕栽培装置は、図６に示されるように、植物支持部１０１および２０１、ならびに、天井部１１１ｂおよび底部２１２ｂのみが、図５に示された実施の形態４の水耕栽培装置１５の対応構造と異なる。
【０１１３】
本実施の形態の水耕栽培装置１５においては、図６に示されるように、植物支持部１０１は、それぞれが取り外し可能な平板状の複数の支持部品１０１ｓ，１０１ｍ，１０１ｌによって構成されている。複数の支持部品１０１ｓ，１０１ｍ，１０１ｌは、複数の植物体８ｓ１，８ｍ１，８ｌ１並ぶ列方向、すなわち図６に示された列方向Ｋ１に沿って並べられている。複数の支持部品１０１ｓ，１０１ｍ，１０１ｌは、それぞれが平板形状を有しており、水耕栽培装置内に設置された状態で、全体として所定の平面に平行な１つの平板形状を形成している。
【０１１４】
列方向Ｋ１は、全体として平板状に配置された複数の支持部品１０１ｓ，１０１ｍ，１０１ｌが並ぶ方向において、複数の支持部品１０１ｓ，１０１ｍ，１０１ｌに平行に延びている。複数の支持部品１０１ｓ，１０１ｍ，１０１ｌは、それぞれ、列方向Ｋ１において、複数の植物体８ｓ１，８ｍ１，８ｌ１を支持している。複数の支持部品１０１ｓ，１０１ｍ，１０１ｌと底部２１２ｂとの間の距離、すなわち、地下空間１３の高さを、それぞれ、Ｄ１１，Ｄ１２，Ｄ１３とする。
【０１１５】
図６に示されるように、地下空間１３の高さＤ１１，Ｄ１２，Ｄ１３は、列方向Ｋ１に沿って一次関数的に大きくなっている。そのため、複数の植物体８ｓ１，８ｍ１，８ｌ１のそれぞれの成長の段階に対応して、複数の支持部品１０１ｓ，１０１ｍ，１０１ｌの配置を変更することができる。そのため、複数の植物体８ｓ１，８ｍ１，８ｌ１の移植を容易に行うことが可能になる。
【０１１６】
また、複数の支持部品１０１ｓ，１０１ｍ，１０１ｌに複数の植物体８ｓ１，８ｍ１，８ｌ１が支持された状態で、いずれか１つの支持部品を取り外すことができる。そのため、複数の植物体８ｓ１，８ｍ１，８ｌ１のうち成長が完了したいずれか１つの植物体の収穫を容易に行うことができる。
【０１１７】
また、複数の支持部品１０１ｓ，１０１ｍ，１０１ｌは、いずれか１つの支持部品が取り外され得るように栽培室筐体内に設置されている。また、前述のいずれか１つの支持部品が取り外された状態で、取り外された１つの支持部品以外の残存する１または２以上の支持部品が前述の列方向Ｋ１に沿ってスライドすることができる。
【０１１８】
したがって、たとえば、最も大きく成長した植物体８ｌ１が支持された支持部品１０１ｌを取り外し、支持部品１０１ｓおよび１０１ｍをそれぞれ支持部品１０１ｍおよび１０１ｌがあった位置にスライドさせることができる。この場合、支持部品１０１ｓがあった位置には、新たな最も小さな植物体を支持する支持部品を水耕栽培装置に設置することができる。このような非常に簡単な一連の作業を繰り返すことにより、複数年にわたって複数の植物体をそれぞれに適した栽培空間で成長させることができる。
【０１１９】
また、図６に示されるように、植物支持部２０１は、それぞれが取り外し可能な複数の支持部品２０１ｓ，２０１ｍ，２０１ｌが、複数の植物体８ｓ２，８ｍ２，８ｌ２が並ぶ列方向Ｋ２に沿って並べられることにより構成されている。平板状の複数の支持部品２０１ｓ，２０１ｍ，２０１ｌは、水耕栽培装置内に設置された状態で、所定の平面に平行な１つの平板形状を形成する。
【０１２０】
列方向Ｋ２は、全体として平板状に配置された複数の支持部品１０１ｓ，１０１ｍ，１０１ｌが並ぶ方向において、平板状に配置された複数の支持部品２０１ｓ，２０１ｍ，２０１ｌに平行に延びている。複数の支持部品２０１ｓ，２０１ｍ，２０１ｌは、それぞれ、複数の植物体８ｓ２，８ｍ２，８ｌ２を支持している。
【０１２１】
図６に示されるように、地下空間２３の高さＤ２１，Ｄ２２，Ｄ２３は、所定の方向Ｋ２に沿って一次関数的に大きくなっている。そのため、複数の植物体８ｓ２，８ｍ２，８ｌ２のそれぞれの成長の段階に対応して、複数の支持部品２０１ｓ，２０１ｍ，２０１ｌの配置を変更することにより、複数の植物体８ｓ２，８ｍ２，８ｌ２の移植を容易に行うことが可能になる。
【０１２２】
また、複数の支持部品２０１ｓ，２０１ｍ，２０１ｌにそれぞれ複数の植物体８ｓ２，８ｍ２，８ｌ２が支持された状態で、いずれか１つの支持部品を取り外すことができる。そのため、複数の植物体８ｓ２，８ｍ２，８ｌ２のうち成長が完了したいずれか１つの植物体の収穫を容易に行うことができる。
【０１２３】
複数の支持部品２０１ｓ，２０１ｍ，２０１ｌは、いずれか１つの支持部品が取り外され得るように栽培室筐体内に設置されている。前述のいずれか１つの支持部品が取り外された状態で、残存する１または２以上の支持部品が前述の列方向Ｋ２に沿ってスライドすることができる。
【０１２４】
したがって、最も大きく成長した植物体８ｌ２が支持された支持部品２０１ｌを取り外し、支持部品２０１ｓおよび２０１ｍをそれぞれ支持部品２０１ｍおよび２０１ｌがあった位置にスライドさせることができる。また、支持部品２０１ｓがあった位置には、新たな最も小さな植物体を支持する支持部品を水耕栽培装置に設置することができる。
【０１２５】
本実施の形態の水耕栽培装置によれば、植物体を植物支持部のそれぞれから抜き取ることなく、植物体と植物支持部とが一体の状態で、植物体を適切な大きさの周囲空間を有する位置へ移設することができる。したがって、移設に伴った植物体の損傷のおそれが低減されている。
【０１２６】
本実施の形態の水耕栽培装置は、図５に示された実施の形態４の水耕栽培装置１５と同様に、全体として実質的に直方体の内部空間および実質的に直方体の形状を有する栽培室筐体を備えている。具体的には、地下空間１３および地上空間１４を有する第１の栽培室１００と地下空間２３および地上空間２４を有する第２の栽培室２００とが鉛直方向に並んで配置されている。
【０１２７】
それにより、第１の栽培室１００と第２の栽培室２００とにより形成された二段重ね栽培室が実質的に直方体の形状を有するように形成されている。つまり、その２段重ね栽培空間を内包する二段重ね栽培室筐体（図示せず）が、全体として実質的に直方体の形状を有している、したがって、図６に示された本実施の形態水耕栽培装置は、閉鎖型工場等の建物内に設置し易い構造になっている。
【０１２８】
（実施の形態６）
図７〜図９を用いて、実施の形態６の水耕栽培装置を説明する。
【０１２９】
本実施の形態の水耕栽培装置は、全体として実質的に直方体の内部空間および外形を有している。具体的には、図７および図８に示されるように、地下空間１３および地上空間１４を有する第１の栽培室１００と地下空間２３および地上空間２４を有する第２の栽培室２００とが一体的に鉛直方向に配置された構造を有している。それにより、第１の栽培室１００と第２の栽培室２００とにより形成された二段重ね栽培空間が実質的に直方体の形状を有するように形成されている。
【０１３０】
二段重ね栽培空間とは、地下空間１３、地上空間１４、地下空間２３、および地上空間２４がこの順番で積み重ねられた空間である。その２段重ね栽培空間を内包する二段重ね栽培室筐体４０が、全体として実質的に直方体の外形を有している、したがって、本実施の形態の水耕栽培装置は、閉鎖型工場等の建物内に設置し易い構造になっている。
【０１３１】
第１の栽培室１００と第２の栽培室２００とは、互いに分離できない一体構造の水耕栽培装置１５として形成されている。しかしながら、本発明の水耕栽培装置は、第１の栽培室１００と第２の栽培室２００とが鉛直方向に並んで配置されることにより、実質的に直方体の外形が形成されるのであれば、いかなるものであってもよい。たとえば、本発明の水耕栽培装置は、第１の栽培室１００と第２の栽培室２００とを分離可能な２つの栽培室筐体を有し、その２つの栽培室筐体が積み重ねられたものであってもよい。
【０１３２】
本実施の形態の水耕栽培装置１５は、栽培室１００の栽培室地下部１１２内において複数の植物体８ｓ１，８ｍ１，８ｌ１，８ｘｌ１の地下部（根）に向かって養液を噴霧する養液供給部５１が設けられている。栽培室１００には、栽培室地下部１１２から養液を排出するように構成された流路としての養液排出部６１が設けられている。
【０１３３】
養液排出部６１は、図７に示されるように、ほんの僅かだけ下方へ傾斜している栽培室地下部１１２の底部１１２ｂにおいて、底部１１２ｂの最も低い位置に設けられている。そのため、重力を利用して全ての養液を栽培室地下部１１２から効率的に排出することができる。
【０１３４】
また、栽培室１００においては、栽培室地上部１１１の天井部１１１ｂに複数の光源９１が取り付けられている。複数の光源９１は、それぞれ、複数の植物体８ｓ１，８ｍ１，８ｌ１，８ｘｌ１の鉛直上方に位置付けられている。
【０１３５】
また、栽培室２００において、栽培室地下部２１２内において養液を複数の植物体８ｓ２，８ｍ２，８ｌ２，８ｘｌ２の地下部（根）に向かって噴霧する養液供給部５２が設けられている。栽培室２００には、栽培室２００の栽培室地下部２１２から養液を排出するように構成された流路としての養液排出部６２が設けられている。養液排出部６２は、栽培室地下部２１２から栽培室地上部１１１を通過して栽培室地下部１１２へ養液を導くように延びている。
【０１３６】
また、養液排出部６２は、図７に示されるように下方へ急勾配で傾斜している栽培室地下部２１２の底部２１２ｂにおいて、最も低い位置に設けられている。そのため、重力を利用して全ての養液を栽培室地下部２１２から栽培室地下部１１２へ効率的に排出することができる。
【０１３７】
また、第２の栽培室２００においては、栽培室地上部２１１の天井部２１１ｂに複数の光源９２が取り付けられている。複数の光源９２は、それぞれ、複数の植物体８ｓ２，８ｍ２，８ｌ２，８ｘｌ２の鉛直上方に位置付けられている。
【０１３８】
なお、本実施の形態の養液供給部５１および５２は、それぞれ、地下空間１３および２３に養液を供給するためのミスト噴霧式の養液供給部である。
【０１３９】
本実施の形態の水耕栽培装置は、上記したように、第１の栽培室１００と第２の栽培室２００とを備えている。栽培室１００は、複数の植物体８ｓ１，８ｍ１，８ｌ１，８ｘｌ１を栽培するためのものである。栽培室２００は、複数の植物体８ｓ２，８ｍ２，８ｌ２，８ｘｌ２を栽培するためのものである。
【０１４０】
図７および図８に示されるように、栽培室１００は、栽培室地下部１１２と、栽培室地上部１１１とを備えている。栽培室地下部１１２は、複数の植物体８ｓ１，８ｍ１，８ｌ１，８ｘｌ１が成長する地下空間１３の外郭を構成している。栽培室地上部１１１は、栽培室地下部１１２の上側に設けられ、複数の植物体８ｓ１，８ｍ１，８ｌ１，８ｘｌ１の地上部が成長する地上空間１４の外郭を構成している。
【０１４１】
栽培室１００内には、植物支持部１０１が設置されている。植物支持部１０１は、複数の植物体８ｓ１，８ｍ１，８ｌ１，８ｘｌ１の地上部が地上空間１４へ突出するように、複数の植物体８ｓ１，８ｍ１，８ｌ１，８ｘｌ１を支持している。
【０１４２】
複数の植物体８ｓ１，８ｍ１，８ｌ１，８ｘｌ１が植物支持部１０１に支持されている複数の位置において、植物支持部１０１と底部１１２ｂとの間の鉛直方向における距離、すなわち地下空間１３の高さを、それぞれ、Ｄ１１，Ｄ１２，Ｄ１３，Ｄ１４とする。地下空間１３の高さをＤ１１，Ｄ１２，Ｄ１３，Ｄ１４は、水平面における列方向Ｋ１に沿って徐々に大きくなる。また、複数の植物体８ｓ１，８ｍ１，８ｌ１，８ｘｌ１が植物支持部１０１に支持されている複数の位置において、植物支持部１０１と天井部１１１ｂとの間の距離、すなわち地上空間１４の高さを、それぞれ、Ｈ１１，Ｈ１２，Ｈ１３，Ｈ１４とする。地上空間１４の高さＨ１１，Ｈ１２，Ｈ１３，Ｈ１４は、列方向Ｋ２に沿って徐々に大きくなる。
【０１４３】
図７および図８に示されるように、栽培室２００は、栽培室地下部２１２と、栽培室地上部２１１とを備えている。栽培室地上部２１１は、栽培室地下部２１２の上側に設けられ、複数の植物体８ｓ２，８ｍ２，８ｌ２，８ｘｌ２の地上部が成長する栽培室２００の外郭を構成している。
【０１４４】
栽培室２００内には、植物支持部２０１が設けられている。植物支持部２０１は、複数の植物体８ｓ２，８ｍ２，８ｌ２，８ｘｌ２の地下部が地上空間２４へ突出するように、複数の植物体８ｓ２，８ｍ２，８ｌ２，８ｘｌ２を支持している。
【０１４５】
複数の植物体８ｓ１，８ｍ１，８ｌ１，８ｘｌ１が植物支持部１０１に支持されている複数の位置において、植物支持部２０１と底部２１２ｂとの間の鉛直方向における距離、すなわち地下空間２３の高さを、それぞれ、Ｄ２１，Ｄ２２，Ｄ２３，Ｄ２４とする。地下空間２３の高さＤ２１，Ｄ２２，Ｄ２３，Ｄ２４は、列方向Ｋ２に沿って徐々に大きくなる。また、複数の植物体８ｓ１，８ｍ１，８ｌ１，８ｘｌ１が植物支持部１０１に支持されている複数の位置において、植物支持部２０１と天井部２１１ｂとの間の距離を、すなわち地上空間２４の高さを、それぞれ、Ｈ２１，Ｈ２２，Ｈ２３，Ｈ２４とする。地上空間２４の高さＨ２１，Ｈ２２，Ｈ２３，Ｈ２４は、列方向Ｋ２に沿って徐々に大きくなる。
【０１４６】
なお、図７および図８に示されるように、本実施の形態においては、前述の列方向Ｋ１と列方向Ｋ２とは、互いに平行でかつ互いに逆向きになっている。
【０１４７】
上記した本実施の形態の水耕栽培装置１５においても、植物体が成長するにつれて、植物支持部１０１，２０１のより適切な支持位置へ植物体を移設することができる。つまり、植物体周辺の地上空間および地下空間の高さがより適した位置へ植物体を移設することができる。そのため、複数の植物体を、それぞれに適した空間で成長させることができる。
【０１４８】
また、上記の構成によれば、図７および図８に示されるように、栽培室１００と栽培室２００とを垂直方向において並んで設けられている。そのため、平面視における同一占有面積を増加させることなく、栽培空間の数を増加させることができる。つまり、垂直方向の空間を有効に利用して水耕栽培の生産効率を高めることができる。
【０１４９】
また、列方向Ｋ１と列方向Ｋ２とが互いに平行でかつ互いに逆向きであるため、栽培室１００および栽培室２００のそれぞれの外形をうまく利用して、全体として実質的に直方体の外形を有する栽培室筐体４０が形成されている。したがって、本実施の形態の水耕栽培装置も、閉鎖型工場等の建物内に収納し易い外形を有している。
【０１５０】
本実施の形態の水耕栽培装置によれば、図９から容易に分かるように、水平面と平行な平面における隣接する複数の植物体８ｓ，８ｍ，８ｌ同士の間の距離、すなわち、いわゆる株間をＬからＬｃｏｓθへ低減できる。また、植物体の栽培空間の高さをＨからｈへ低減することができる。
【０１５１】
（実施の形態７）
図１０を用いて、実施の形態７の水耕栽培装置が説明される。実施の形態７の水耕栽培装置は、図６に示された実施の形態５の水耕栽培装置１５の発展例である。
【０１５２】
本実施の形態の水耕栽培装置５０は、図６に示された実施の形態５の水耕栽培装置と同一の２つの水耕栽培装置１５が鉛直方向に積み重ねられたものである。図６に示された水耕栽培装置の外形は、実質的に直方体形状であるため、本実施の形態は、２つの実質的に直方体の形状を有する水耕栽培装置１５が２段に積み重ねられた形状である。したがって、この２段重ねの水耕栽培装置も、全体として直方体の外形を有している。
【０１５３】
第３の栽培室３００は、図６に示された前述の第１の栽培室１００と同一であり、第４の栽培室４００は、図６に示された前述の第２の栽培室２００と同一である。第１の栽培室１００、第２の栽培室２００、第３の栽培室３００、および第４の栽培室４００とは、鉛直方向に積み重ねられた状態で、４段重ね栽培室を構成し、この４段重ね栽培室は、全体で実質的に直方体の形状を有している。なお、図において、水耕栽培装置の栽培室筐体は示されていないが、栽培室筐体は、実質的に直方体の形状を有する４段重ね栽培室の表面を構成する６面体構造の栽培室筐体であって、実質的に直方体の外形を有している。
【０１５４】
上記の説明から分かるように、複数の水耕栽培装置を鉛直方向に積み上げれば、平面視において栽培室の占有面積を増加させることなく、栽培室の数を増加させることができる。
【０１５５】
（実施の形態８）
図１１を用いて、実施の形態８の水耕栽培装置が説明される。本実施の形態の水耕栽培装置８０は、２つの同一形状の水耕栽培装置１５が、鉛直方向に積み重ねられたものである。水耕栽培装置８０は、実質的に直方体の形状を有している。つまり、栽培室筐体１０は、実質的に直方体の外形を有している。この構成によっても、本実施の形態の水耕栽培装置８０の建物内への収納がし易くなる。
【０１５６】
ただし、複数の水耕栽培装置を積み重ねる場合には、複数の水耕栽培装置を積み重ねた状態で養液排出部および養液供給部をそれぞれ使用できるような構造が形成される必要がある。たとえば、図１１に示すように、上下方向に２つの水耕栽培装置１５を積み重ねる場合、２つの水耕栽培装置１５のそれぞれに図１１に示されるような配管６５を設けることが望ましい。これによれば、上側の水耕栽培装置１５の地下空間２３および２４養液を下側の水耕栽培装置１５の地下空間１３から外部へ排水することができる。
【０１５７】
（実施の形態９）
図１２を用いて、実施の形態９の水耕栽培装置が説明される。本実施の形態の水耕栽培装置９０は、３つの水耕栽培装置５０を備えている。３つの水耕栽培装置５０は、いずれも、図１０に示された実施の形態７の水耕栽培装置５０と同一の構造を有している。
【０１５８】
本実施の形態においては、３つの水耕栽培装置５０は、列方向に垂直な方向において隣接して並べてられており、隣接する水耕栽培装置５０同士が互いに連結具により接続されている。水耕栽培装置９０は、全体として、直方体の外形を構成している。
【０１５９】
上記の構成によれば、複数の水耕栽培装置５０を、水平方向、言い換えれば、列方向に垂直な方向において並べることにより、栽培される植物体の数に応じて、栽培室の数を増加させることができる。そのため、水平方向の空間を有効に利用して水耕栽培の生産効率を高めることができる。
【符号の説明】
【０１６０】
１，１０１，２０１  植物支持部
１ａ，１ｂ，１ｃ，１ｄ，１０１ａ，１０１ｂ，１０１ｃ，１０１ｄ，１０１ｓ，１０１ｍ，１０１ｌ，２０１ａ，２１０１ｂ，２０１ｃ，２０１ｄ，２０１ｓ，２０１ｍ，２０１ｌ  支持部品
３，１３，２３  地下空間
４，１４，２４  地上空間
８ｓ，８ｍ，８ｌ，８ｘｌ，８ｓ１，８ｍ１，８ｌ１，８ｘｌ１，８ｓ２，８ｍ２，８ｌ２，８ｘｌ２  複数の植物体
１０，４０  栽培室筐体
１５，５０，８０，９０  水耕栽培装置
Ｈ１，Ｈ２，Ｈ３，Ｈ４，Ｈ１１，Ｈ１２，Ｈ１３，Ｈ１４，Ｈ２１，Ｈ２２，Ｈ２３，Ｈ２４  地上空間の高さ
Ｄ１，Ｄ２，Ｄ３，Ｄ４，Ｄ１１，Ｄ１２，Ｄ１３，Ｄ１４，Ｄ２１，Ｄ２２，Ｄ２３，Ｄ２４  地下空間の高さ
Ｋ，Ｋ１，Ｋ２  列方向
５，５１，５２  養液供給部
６，６１，６２  養液排出部
１００，２００，３００，４００  栽培室
【図１】
2015139410.tif 000003
【図２】
2015139410.tif 000004
【図３】
2015139410.tif 000005
【図４】
2015139410.tif 000006
【図５】
2015139410.tif 000007
【図６】
2015139410.tif 000008
【図７】
2015139410.tif 000009
【図８】
2015139410.tif 000010
【図９】
2015139410.tif 000011
【図１０】
2015139410.tif 000012
【図１１】
2015139410.tif 000013
【図１２】
2015139410.tif 000014